(57)【要約】【課題】備蓄が容易で、使用の際の組立ても簡単にできるようにした緊急用臨時給水栓を提供する。【解決手段】給水源に接続して複数の給水箇所に給水するための緊急用臨時給水栓１０において、給水配管２０が単位配管３０を複数接続して成り、該給水配管２０の要所を略Ａ字形の支持脚５０にて水平に保持するよう構成し、単位配管３０は、一端にオス継手３１が設けられ、他端に該オス継手３１が連結するメス継手３３が設けられ、中間部には要所に給水栓４０が設けられて成り、支持脚５０は上端部に前記単位配管３０を装脱可能な係脱支持部５５が設けられている。【選択図】図１
2008121316.tif 000002
【特許請求の範囲】
【請求項１】
給水源に接続して複数の給水箇所に給水するための緊急用臨時給水栓において、
給水配管が単位配管を複数接続して成り、該給水配管の要所を略Ａ字形の支持脚にて水平に保持するよう構成し、
前記単位配管は、一端にオス継手が設けられ、他端に該オス継手が連結するメス継手が設けられ、中間部には要所に給水栓が設けられて成り、
前記支持脚は上端部に前記単位配管を装脱可能な係脱支持部が設けられていることを特徴とする緊急用臨時給水栓。
【請求項２】
給水源に接続して複数の給水箇所に給水するための緊急用臨時給水栓において、
給水配管が単位配管を複数接続して成り、該給水配管の要所を略Ａ字形の支持脚にて水平に保持するよう構成し、
前記単位配管は、一端にオス継手が設けられ、他端に該オス継手が連結するメス継手が設けられ、中間部には要所に給水栓が設けられ、いずれかの端部に止水バルブが設けられて成り、
前記支持脚は上端部に前記単位配管を装脱可能な係脱支持部が設けられていることを特徴とする緊急用臨時給水栓。
【請求項３】
前記支持脚は、工事現場を仕切るためのパイプを支持するバリケード脚であることを特徴とする請求項１または２に記載の緊急用臨時給水栓。
【請求項４】
前記オス継手およびメス継手は、オス継手を挿入するだけでメス継手と連結するものであることを特徴とする請求項１または２に記載の緊急用臨時給水栓。
【発明の詳細な説明】
【技術分野】
【０００１】
本発明は、給水源に接続して複数の給水箇所に給水するための緊急用臨時給水栓に関する。
【背景技術】
【０００２】
従来の技術としては、例えば特許文献１に示すようなものがある。  
すなわち、特許文献１には、可撓性を有するホースを介して消火栓へ連結可能な給水管を有し、その給水管を下面に設けた着脱可能な支脚によって略水平方向に向けて支持すると共に、前記給水管の下面に上下方向の軸線の周りを回動する回動部材を設け、その回動部材に蛇口を設けた技術が開示されている。
【０００３】
【特許文献１】特開２００２−１３１６７号公報
【発明の開示】
【発明が解決しようとする課題】
【０００４】
しかしながら、このような従来の技術では、給水管の下面に着脱可能な支脚を設けてあるので、必ず特定の構造の給水管と支脚とを組み合わせて使用しなければならず、備品として備えておいたり、使用時に組み立てるのが煩雑であるという問題点があった。
【０００５】
本発明は、このような従来の技術が有する問題点に着目してなされたもので、備蓄が容易で、使用の際の組立ても簡単にできるようにした緊急用臨時給水栓を提供することを目的としている。
【課題を解決するための手段】
【０００６】
かかる目的を達成するための本発明の要旨とするところは、次の各項の発明に存する。
［１］  給水源に接続して複数の給水箇所に給水するための緊急用臨時給水栓（１０）において、
給水配管（２０）が単位配管（３０）を複数接続して成り、該給水配管（２０）の要所を略Ａ字形の支持脚（５０）にて水平に保持するよう構成し、
前記単位配管（３０）は、一端にオス継手（３１）が設けられ、他端に該オス継手（３１）が連結するメス継手（３３）が設けられ、中間部には要所に給水栓（４０）が設けられて成り、
前記支持脚（５０）は上端部に前記単位配管（３０）を装脱可能な係脱支持部（５５）が設けられていることを特徴とする緊急用臨時給水栓（１０）。
【０００７】
［２］  給水源に接続して複数の給水箇所に給水するための緊急用臨時給水栓（１０）において、
給水配管（２０）が単位配管（３０）を複数接続して成り、該給水配管（２０）の要所を略Ａ字形の支持脚（５０）にて水平に保持するよう構成し、
前記単位配管（３０）は、一端にオス継手（３１）が設けられ、他端に該オス継手（３１）が連結するメス継手（３３）が設けられ、中間部には要所に給水栓（４０）が設けられ、いずれかの端部に止水バルブ（３５）が設けられて成り、
前記支持脚（５０）は上端部に前記単位配管（３０）を装脱可能な係脱支持部（５５）が設けられていることを特徴とする緊急用臨時給水栓（１０）。
【０００８】
［３］  前記支持脚（５０）は、工事現場を仕切るためのパイプを支持するバリケード脚であることを特徴とする項１または２に記載の緊急用臨時給水栓（１０）。
【０００９】
［４］  前記オス継手（３１）およびメス継手（３３）は、オス継手（３１）を挿入するだけでメス継手（３３）と連結するものであることを特徴とする項１または２に記載の緊急用臨時給水栓（１０）。
【００１０】
前記本発明は次のように作用する。  
緊急用臨時給水栓（１０）は、単位配管（３０）を必要数だけ複数接続して給水配管（２０）を構成し、この給水配管（２０）を給水源に接続し、給水源からの水を複数の給水箇所に給水する。
【００１１】
単位配管（３０）は、隣り合った単位配管（３０）の一端のオス継手（３１）と他端のメス継手（３３）とを連結して、必要数連結し、現場に合った長さの給水配管（２０）にする。そして、給水配管（２０）の要所は、略Ａ字形の支持脚（５０）にて支持することにより水平に保持される。
【００１２】
支持脚（５０）は単位配管（３０）の管を直接に支持するようになっており、支持脚（５０）の上端部の係脱支持部（５５）に単位配管（３０）を装着して組み立てる。使用しないときは支持脚（５０）の係脱支持部（５５）から単位配管（３０）を外して備蓄しておく。
【００１３】
また、給水配管（２０）の末端は、単位配管（３０）に止水バルブ（３５）が設けられている場合はこの止水バルブ（３５）を閉じる。止水バルブ（３５）が設けられていない場合は止水蓋で末端を閉じるようにしても良い。
【００１４】
単位配管（３０）を必要数だけ接続した給水配管（２０）を支持脚（５０）で支持して前記のように組み立てると、給水源から水を給水配管（２０）内に通水し、給水配管（２０）の単位配管（３０）の中間部の要所に設けられた給水栓（４０）から給水を受けることができる。
【００１５】
支持脚（５０）が、工事現場を仕切るためのパイプを支持するバリケード脚である場合は、一般的に使用されているバリケード脚を利用して給水配管（２０）を組み立てることが出来る。
【００１６】
オス継手（３１）およびメス継手（３３）が、オス継手（３１）を挿入するだけでメス継手（３３）と連結するものである場合は、相互に挿入するだけで容易に給水配管（２０）を組み立てることが出来、災害等の際、迅速に対応することが出来る。
【発明の効果】
【００１７】
本発明にかかる緊急用臨時給水栓によれば、単位配管と支持脚を備蓄するだけで災害時等の給水対策をすることができ、迅速的確な給水をして生活対策を適切にすることが出来る。単位配管は突起部位の少ない管状であるので、備蓄しやすく場所を取らず、必要な数量の備蓄を適切にすることが出来る。単位配管に止水バルブを設けたものは、バルブを操作するだけで通水可能な給水配管を準備することが出来る。支持脚を工事現場を仕切るためのパイプを支持するバリケード脚とした場合は安価かつ的確に備蓄を進めることが出来、数量不足の場合などでも工事現場からすぐに調達することが出来て便利である。単位配管のオス継手およびメス継手が、オス継手を挿入するだけでメス継手と連結するものである場合は、相互に挿入するだけで容易に給水配管を組み立てることが出来、災害等の際、迅速に対応することが出来る。
【発明を実施するための最良の形態】
【００１８】
以下、図面に基づき本発明の好適な一の実施の形態を説明する。
各図は本発明の一の実施の形態を示している。  
図１〜図３に示すように、緊急用臨時給水栓１０は、給水源に接続して複数の給水箇所に給水するためのものであり、給水配管２０が単位配管３０，３０…を複数接続して成り、給水配管２０の要所を略Ａ字形の支持脚５０，５０…にて水平に保持するようになっている。
【００１９】
単位配管３０は、一端にオス継手３１が設けられ、他端にオス継手３１が連結するメス継手３３が設けられており、単位配管３０の中間部には要所に給水栓４０が設けられ、一方の端部であるオス継手３１側に止水バルブ３５が設けられている。止水バルブ３５は本実施の形態では止水コック３６で開閉されるボールバルブとしているが、止水できるものであれば他の形式のものでも良い。
【００２０】
単位配管３０，３０…が複数接続された場合に、隣接する単位配管３０，３０のオス継手３１とメス継手３３とが接続され、オス継手３１およびメス継手３３は、オス継手３１を挿入するだけでメス継手３３と連結するものであるが、相互に螺合させるようなものであっても良い。
【００２１】
給水栓４０は、単位配管３０に複数設けられており、給水コック４１を有し、吐水口４２には、水容器まで伸ばしやすいよう可撓性のある給水ホース４３が接続されている。
【００２２】
支持脚５０，５０…は、工事現場を仕切るためのパイプを支持するバリケード脚であり、支持脚５０の上端部には、単位配管３０を装脱可能な係脱支持部５５が設けられている。
【００２３】
係脱支持部５５は、略Ａ字形の支持脚本体５１の上端部に仕切りパイプを受ける受け凹溝５６が形成され、押え部材５７が支持脚本体５１の上端部にボルト５７ａで枢支され、押え部材５７には受け凹溝５６との間に仕切りパイプを挟みこむ押え凹溝５８が形成されて成る。
【００２４】
押え部材５７は、ボルト５７ａを締めることにより押え部材５７が容易には起き上がらないように押さえ込むようになっている。支持脚５０の下部の桟５２にも同様の構造の係脱支持部が設けられている。単位配管３０の太さは仕切りパイプと同程度の径に設定されている。
【００２５】
次に作用を説明する。  
緊急用臨時給水栓１０は、単位配管３０，３０…を必要数だけ複数接続して給水配管２０を構成し、この給水配管２０を給水源に接続し、給水源からの水を複数の給水箇所に給水する。
【００２６】
備蓄してあった単位配管３０，３０…を災害場所等に運び、単位配管３０，３０…を縦に並べ、隣り合った単位配管３０，３０…の一端のオス継手３１と他端のメス継手３３とを連結して、必要数連結し、現場に合った長さの給水配管２０にする。
【００２７】
そして、給水配管２０の要所は、略Ａ字形の支持脚５０，５０…にて支持することにより水平に保持される。単位配管３０の両端部に支持脚５０，５０を配置すると安定するが、現場に合わせて多くしたり少なくしたりする。支持脚５０は備蓄してあるものを使用するか、現場等で使用しているものを流用する。
【００２８】
支持脚５０，５０…は単位配管３０，３０…の管を係脱支持部５５に直接に支持する。支持脚５０の上端部の係脱支持部５５に単位配管３０，３０…を装着して組み立てる。ボルト５７ａを適当な締付力にしておき、押え部材５７を締付力に抗して起立させ、単位配管３０の管の部分を支持脚５０の支持脚本体５１の上端部の受け凹溝５６に設置してから押え部材５７を倒すと、受け凹溝５６と押え凹溝５８により単位配管３０が挟持されて外れなくなる。
【００２９】
使用しないときは押え部材５７を起こして支持脚５０の係脱支持部５５から単位配管３０，３０…を外して備蓄しておく。
【００３０】
給水配管２０の基端側はホース等で適宜給水源に接続し、また、給水配管２０の末端は、単位配管３０，３０…に止水バルブ３５が設けられている場合はこの止水バルブ３５を閉じて閉鎖系にする。止水バルブ３５が設けられていない場合は止水蓋で末端を閉じるようにしても良い。
【００３１】
単位配管３０，３０…を必要数だけ接続した給水配管２０を支持脚５０，５０…で支持して前記のように組み立てると、給水源から水を給水配管２０内に通水し、給水配管２０の単位配管３０，３０…の中間部の要所に設けられた給水栓４０，４０…から給水を受けることができる。
【００３２】
給水栓４０の給水コック４１を操作すると吐水口４２から水が吐出し、給水ホース４３を水容器の口に入れて給水を受けることができる。
【００３３】
支持脚５０，５０…が、工事現場を仕切るためのパイプを支持するバリケード脚である場合は、一般的に使用されているバリケード脚を利用して給水配管２０を組み立てることが出来る。
【００３４】
オス継手３１およびメス継手３３が、オス継手３１を挿入するだけでメス継手３３と連結するものである場合は、相互に挿入するだけで容易に給水配管２０を組み立てることが出来、災害等の際、迅速に対応することが出来る。
【図面の簡単な説明】
【００３５】
【図１】本発明の一の実施の形態に係る緊急用臨時給水栓を示す正面図である。
【図２】本発明の一の実施の形態に係る緊急用臨時給水栓の支持脚を示す説明図である。
【図３】本発明の一の実施の形態に係る緊急用臨時給水栓の単位配管を示す正面図である。
【図４】本発明の一の実施の形態に係る緊急用臨時給水栓の単位配管の横断面図である。
【符号の説明】
【００３６】
１０…緊急用臨時給水栓
２０…給水配管
３０…単位配管
３１…オス継手
３３…メス継手
３５…止水バルブ
３６…止水コック
４０…給水栓
４１…給水コック
４２…吐水口
４３…給水ホース
５０…支持脚
５１…支持脚本体
５５…係脱支持部
５６…受け凹溝
５７…押え部材
５７ａ…ボルト
５８…押え凹溝
【図１】
2008121316.tif 000003
【図２】
2008121316.tif 000004
【図３】
2008121316.tif 000005
【図４】
2008121316.tif 000006